(57)【要約】【課題】有用な渋滞情報を提供しつつ、不要な通信が低減された渋滞情報提供・受信システム及び方法、並びに、渋滞情報提供装置、及び車両用渋滞情報受信装置を提供すること。【解決手段】センタが通信を利用して渋滞情報を提供し、車両が該渋滞情報を受信する渋滞情報提供・受信システムであって、車両に搭載された車載装置がセンタへ走行予定ルート（例えば、ナビゲーションシステムにより探索された自車両現在位置から目的地までのルート）を送信し、センタが該走行予定ルート上の渋滞予測情報を車載装置へ送信し、車載装置が受信した渋滞予測情報に基づいて、次に該渋滞予測情報をセンタへリクエストするタイミングを決定する。【選択図】図３
2007114044.tif 000002
【特許請求の範囲】
【請求項１】
センタが通信を利用して渋滞情報を提供し、車両が該渋滞情報を受信する渋滞情報提供・受信システムであって、
前記車両に搭載された車載装置は、前記センタへ走行予定ルートを送信し、
前記センタは、前記走行予定ルート上の渋滞予測情報を前記車載装置へ送信し、
前記車載装置は、前記センタから前記渋滞予測情報を受信し、受信した該渋滞予測情報に基づいて、次に該渋滞予測情報を前記センタへリクエストするタイミングを決定する、ことを特徴とする渋滞情報提供・受信システム。
【請求項２】
請求項１記載の渋滞情報提供・受信システムであって、
前記車載装置は、前記走行予定ルートと共に、自車両の平均車速を前記センタへ送信し、
前記センタは、リクエスト元の車両が前記走行予定ルート上の渋滞の最後尾に追い付くと予測された予測最後尾地点を前記渋滞予測情報として送信し、
前記車載装置は、前記走行予定ルート上において前記予測最後尾地点より所定距離手前の地点に到達したときを前記タイミングとする、ことを特徴とする渋滞情報提供・受信システム。
【請求項３】
請求項２記載の渋滞情報提供・受信システムであって、
前記予測最後尾地点が有料道路上の地点であった場合、前記車載装置は、前記走行予定ルート上において前記予測最後尾地点の手前の最後の分岐点から所定距離手前の地点に到達したときを前記タイミングとする、ことを特徴とする渋滞情報提供・受信システム。
【請求項４】
請求項１乃至３のいずれか一項記載の渋滞情報提供・受信システムであって、
前記車載装置は、前記走行予定ルート上の現在の渋滞状況を取得し、取得した該現在の渋滞状況に基づいて、前記タイミングを変更する、ことを特徴とする渋滞情報提供・受信システム。
【請求項５】
センタが通信を利用して渋滞情報を提供し、車両が該渋滞情報を受信する渋滞情報提供・受信方法であって、
前記車両に搭載された車載装置は、前記センタへ走行予定ルートを送信し、
前記センタは、前記走行予定ルート上の渋滞予測情報を前記車載装置へ送信し、
前記車載装置は、前記センタから前記渋滞予測情報を受信し、受信した該渋滞予測情報に基づいて、次に該渋滞予測情報を前記センタへリクエストするタイミングを決定する、ことを特徴とする渋滞情報提供・受信方法。
【請求項６】
通信を利用して車両に渋滞情報を提供する渋滞情報提供装置であって、
車両から走行予定ルートが受信されたとき、該走行予定ルート上の渋滞予測情報を該走行予定ルートの送信元車両へ送信し、
車両から前記渋滞予測情報に基づいて新たな渋滞予測情報がリクエストされたとき、前記走行予定ルート上の新たな渋滞予測情報を該リクエストの送信元車両へ送信する、ことを特徴とする渋滞情報提供装置。
【請求項７】
車両に搭載され、通信を利用して所定の通信局から渋滞情報を受信する車両用渋滞情報受信装置であって、
自車両の走行予定ルートを前記所定の通信局に送信して該走行予定ルート上の渋滞予測情報をリクエストし、
前記走行予定ルート上の前記渋滞予測情報が受信されたとき、該渋滞予測情報に基づいて、次に該渋滞予測情報を前記所定の通信局へリクエストするタイミングを決定する、ことを特徴とする車両用渋滞情報受信装置。
【発明の詳細な説明】
【技術分野】
【０００１】
本発明は、概して、センタが通信を利用して渋滞情報を提供し、車両が該渋滞情報を受信する渋滞情報提供・受信システムに係り、特に、有用な渋滞情報を提供しつつ、不要な通信が低減された渋滞情報提供・受信システム及び方法、並びに、渋滞情報提供装置、及び車両用渋滞情報受信装置に関する。
【背景技術】
【０００２】
従来、センタが通信を利用して渋滞情報を提供し、車両が該渋滞情報を受信するシステムが知られている（例えば、特許文献１参照）。
【０００３】
また、センタにおいて直近の道路状況と過去の蓄積された統計データとに基づいて将来の渋滞状況を予測し、この予測された将来の渋滞状況についての情報（渋滞予測情報）を通信を利用して車両に提供するシステムも知られている（例えば、非特許文献１参照）。
【特許文献１】特開２００１−４３４８５号公報
【非特許文献１】デジタルメディアサービス株式会社、「Ｇ−ＢＯＯＫ  ＡＬＰＨＡ  〜Ｇルート探索／渋滞予測」、［ｏｎｌｉｎｅ］、［平成１７年１０月２０日検索］、インターネットＵＲＬ＜ｈｔｔｐ：／／ｇ−ｂｏｏｋ．ｃｏｍ／ｐｃ／ｗｈａｔｓ＿Ｇ−ＢＯＯＫ＿ＡＬＰＨＡ／ｔｅｃｈｎｏｌｏｇｙ／ｇ＿ｒｏｕｔｅ．ａｓｐ＞
【発明の開示】
【発明が解決しようとする課題】
【０００４】
従来システムにおいて、センタと通信して渋滞情報を取得する車載装置は、１）一定時間間隔で（定期的に）、又は、２）インターチェンジ（ＩＣ）若しくはジャンクション（ＪＣＴ）から所定距離手前などの所定の地点（座標）で、又は、３）ナビゲーションシステムにより探索されたルート（若しくは目的地）が変更されたときに、センタにリクエストして渋滞情報を取得するものとされている。
【０００５】
渋滞の最新状況を得るには車載装置がセンタとの通信を頻繁に行う必要があるが、通信回数が増えると車両ユーザに掛かる通信コストも増えてしまう。逆に、通信回数を単純に減らすだけでは、通信コストの低減は図ることができるが、最新の渋滞情報が得られずに渋滞回避のタイミングの逃す（例えば、高速道路において、渋滞最後尾手前最後のＩＣを降りずに通り過ぎて渋滞に追い付いてしまう、など）可能性がある。
【０００６】
本発明はこのような課題を解決するためのものであり、有用な渋滞情報を提供しつつ、不要な通信が低減された渋滞情報提供・受信システム及び方法、並びに、渋滞情報提供装置、及び車両用渋滞情報受信装置を提供することを主たる目的とする。
【課題を解決するための手段】
【０００７】
上記目的を達成するための本発明の第一の態様は、センタが通信を利用して渋滞情報を提供し、車両が該渋滞情報を受信する渋滞情報提供・受信システムであって、上記車両に搭載された車載装置は、上記センタへ走行予定ルート（例えば、ナビゲーションシステムにより探索された自車両現在位置から目的地までのルート）を送信し、上記センタは、該走行予定ルート上の渋滞予測情報を上記車載装置へ送信し、該車載装置は、受信した上記渋滞予測情報に基づいて、次に該渋滞予測情報を上記センタへリクエストするタイミングを決定する、渋滞情報提供・受信システムである。
【０００８】
この第一の態様において、上記タイミングは、自車両が渋滞最後尾に追い付く前に当該ルートから外れることができるように、例えば、上記車載装置が上記走行予定ルートと共に自車両の平均車速を上記センタへ送信し、該センタがリクエスト元の車両が上記走行予定ルート上の渋滞の最後尾に追い付くと予測された予測最後尾地点を上記渋滞予測情報として送信し、上記車載装置が上記走行予定ルート上において上記予測最後尾地点より所定距離手前の地点（上記予測最後尾地点が有料道路上の地点であった場合は、上記走行予定ルート上において上記予測最後尾地点の手前の最後の分岐点（ＩＣ、ＪＣＴなど）から所定距離手前の地点）に到達したときを上記タイミングとする、というように決定される。
【０００９】
この第一の態様によれば、車載装置は、予測された渋滞の状況に応じて適切なタイミングでセンタへ渋滞情報提供をリクエストするようにできるため、渋滞の状況に関係なく定期的に又は所定の地点で毎回リクエストを行う場合に比して、渋滞回避を可能にするという渋滞情報提供の有用性を損なわずに通信回数を低減できる。
【００１０】
なお、この第一の態様において、上記車載装置は、上記渋滞予測情報の誤差や事故などによる突発的な渋滞発生に対応するために、上記走行予定ルート上の現在の渋滞状況を（例えば、既存のＶＩＣＳを利用するなどして）取得し、取得した該現在の渋滞状況に基づいて上記タイミングを変更することが好ましい。
【００１１】
上記目的を達成するための本発明の第二の態様は、センタが通信を利用して渋滞情報を提供し、車両が該渋滞情報を受信する渋滞情報提供・受信方法であって、該車両に搭載された車載装置は、上記センタへ走行予定ルートを送信し、該センタは、該走行予定ルート上の渋滞予測情報を上記車載装置へ送信し、該車載装置は、上記センタから該渋滞予測情報を受信し、受信した該渋滞予測情報に基づいて、次に該渋滞予測情報を上記センタへリクエストするタイミングを決定する、渋滞情報提供・受信方法である。
【００１２】
この第二の態様によれば、車載装置は、予測された渋滞の状況に応じて適切なタイミングでセンタへ渋滞情報提供をリクエストするようにできるため、渋滞の状況に関係なく定期的に又は所定の地点で毎回リクエストを行う場合に比して、渋滞回避を可能にするという渋滞情報提供の有用性を損なわずに通信回数を低減できる。
【００１３】
上記目的を達成するための本発明の第三の態様は、通信を利用して車両に渋滞情報を提供する渋滞情報提供装置であって、車両から走行予定ルートが受信されたとき、該走行予定ルート上の渋滞予測情報を該走行予定ルートの送信元車両へ送信し、車両から該渋滞予測情報に基づいて新たな渋滞予測情報がリクエストされたとき、上記走行予定ルート上の新たな渋滞予測情報を該リクエストの送信元車両へ送信する、渋滞情報提供装置である。
【００１４】
この第三の態様によれば、予測された渋滞の状況に応じて適切なタイミングで渋滞情報がリクエストされてくるため、渋滞の状況に関係なく定期的に又は所定の地点で毎回リクエストが車両から送信されてくる場合に比して、渋滞回避を可能にするという渋滞情報提供の有用性を損なわずに通信回数を低減できる。
【００１５】
上記目的を達成するための本発明の第四の態様は、車両に搭載され、通信を利用して所定の通信局（センタ）から渋滞情報を受信する車両用渋滞情報受信装置であって、自車両の走行予定ルートを上記所定の通信局に送信して該走行予定ルート上の渋滞予測情報をリクエストし、上記走行予定ルート上の上記渋滞予測情報が受信されたとき、該渋滞予測情報に基づいて、次に該渋滞予測情報を上記所定の通信局へリクエストするタイミングを決定する、車両用渋滞情報受信装置である。
【００１６】
この第四の態様によれば、予測された渋滞の状況に応じて適切なタイミングでセンタへ渋滞情報をリクエストするようにできるため、渋滞の状況に関係なく定期的に又は所定の地点で毎回リクエストを行う場合に比して、渋滞回避を可能にするという渋滞情報提供の有用性を損なわずに通信回数を低減できる。
【発明の効果】
【００１７】
本発明によれば、有用な渋滞情報を提供しつつ、不要な通信が低減された渋滞情報提供・受信システム及び方法、並びに、渋滞情報提供装置、及び車両用渋滞情報受信装置を提供することができる。
【発明を実施するための最良の形態】
【００１８】
以下、本発明を実施するための最良の形態について、添付図面を参照しながら実施例を挙げて説明する。なお、渋滞情報提供・受信システムの基本概念、主要なハードウェア構成、作動原理、及び基本的な制御手法等については当業者には既知であるため、詳しい説明を省略する。
【実施例】
【００１９】
以下、図１〜３を用いて、本発明の一実施例に係る渋滞情報提供・受信システムについて説明する。本実施例に係る渋滞情報提供・受信システムは、車両に搭載された車載装置からのリクエストに応じて、リクエスト元の車載装置に予測した将来の渋滞情報を提供するものとする。
【００２０】
まず、図１を用いて、本実施例に係る渋滞情報提供・受信システム１００全体の概略を説明する。
【００２１】
本実施例に係る渋滞情報提供・受信システム１００は、サービス契約車両Ｖに搭載された車載装置（渋滞情報受信装置）１０１と、例えば車両製造業者や自動車小売店や或いは専門業者などのサービス事業体により管理・運営された通信局であるセンタ（渋滞情報提供装置）１０２とから構成される。
【００２２】
車載装置１０１とセンタ１０２とは、無線通信を利用して、互いに通信できるように構成される。車載装置１０１とセンタ１０２の間の通信接続は、直接的な接続に限られず、車車間通信、路車間通信、及び／又は衛星通信を経由した通信接続であってもよい。
【００２３】
渋滞情報提供・受信システム１００において、センタ１０２は、道路管理者、都道府県警、及び／又は、専業団体（例えば、財団法人道路交通情報通信システムセンターなど）から取得した直近の渋滞発生の状況と、過去の渋滞状況の統計データとから将来の渋滞状況、特に渋滞最後尾が到達する道路上の地点（座標）、を予測する機能を備えるものとする。
【００２４】
車載装置１０１は、自車両現在位置、ユーザにより設定された目的地、探索された目的地までのルート、及び、平均車速をセンタ１０２へアップロードすることによってセンタ１０２に渋滞予測情報の提供をリクエストする。
【００２５】
車載装置１０１から渋滞予測情報のリクエストを受けたセンタ１０２は、車両Ｖのルート上における将来の渋滞状況を予測する。当該ルート上で渋滞発生の可能性がある場合、センタ１０２は、車両Ｖの平均車速に基づいて、車両Ｖが渋滞最後尾に追い付く地点（座標）を予測する。センタ１０２は、車両Ｖが渋滞最後尾に追い付くと予測した地点を渋滞予測情報としてリクエスト発信元の車載装置１０１へ送信する。
【００２６】
なお、図１では、便宜上、契約車両Ｖを１台のみ図示しているが、当然、本実施例に係る渋滞情報提供・受信システムによるサービスには複数の車両（ユーザ）が加入することが可能であり、センタ１０２は複数の契約車両Ｖと通信接続可能であるものとする。
【００２７】
図２は、契約車両Ｖに搭載され、センタ１０２と通信する車載装置１０１の概略構成図である。
【００２８】
車載装置１０１は、無線通信を利用してセンタ１０２との間で情報を送受信するための送受信部２０１を有する。採用される通信方式は任意でよく、例えば携帯電話網を利用してもよい。
【００２９】
車載装置１０１は、更に、例えばＧＰＳ（Ｇｌｏｂａｌ  Ｐｏｓｉｔｉｏｎｉｎｇ  Ｓｙｓｔｅｍ；全地球測位システム）を利用して自車両の位置を検出する自車両位置検出部２０２を有する。自車両位置検出部２０２の検出精度（分解能）は高い（細かい）ほど好ましく、例えばＲＴＫ（Ｒｅａｌ  Ｔｉｍｅ  Ｋｉｎｅｍａｔｉｃ）−ＧＰＳなどの高精度ＧＰＳが利用されることが好ましい。
【００３０】
車載装置１０１は、更に、直近の渋滞状況に関する情報を取得する渋滞情報取得部２０３を有する。本実施例において、渋滞情報取得部２０３は、既存のＶＩＣＳを利用して直近の渋滞情報を取得するものとする。３つのメディア（電波ビーコン、光ビーコン、ＦＭ多重放送）が用いられることが好ましいが、いずれか任意の１つ又は２つのメディアだけが用いられる構成であってもよい。
【００３１】
車載装置１０１は、更に、地図情報を記憶保持した記憶部２０４を有する。本実施例において、記憶部２０４は任意の記憶媒体でよい。また、記憶部２０４に記憶保持された地図情報は、例えば通信を利用して、適宜最新のデータに更新されることが好ましい。
【００３２】
車載装置１０１は、更に、自車両Ｖの車速を検出する車速検出部２０５を有する。本実施例において、車速検出部２０５は、例えば車輪速センサを利用して、自車両Ｖの車速を検出する。
【００３３】
車載装置１０１は、更に、車両ユーザが車載装置１０１に任意の文字列を入力したり、メニュー項目を選択・決定したりして目的地を設定するためのユーザ入力部２０６を有する。
【００３４】
車載装置１０１は、更に、少なくとも自車両位置検出部２０２により検出された自車両位置を記憶部２０４に記憶された地図情報上に載せてユーザに視覚的に提示する表示部２０７を有する。本実施例において、表示部２０７は、例えば、小型のＬＣＤ（液晶ディスプレイ）を含む。あるいは、代替例として、ユーザ入力部２０６及び表示部２０７が一体化され、タッチパネルとして実現されてもよい。
【００３５】
車載装置１０１は、更に、車載装置１０１の各構成要素を統括的に制御する主制御部２０８を有する。主制御部２０８は、例えば、ＥＣＵ（Ｅｌｅｃｔｒｏｎｉｃ  Ｃｏｎｔｒｏｌ  Ｕｎｉｔ；電子制御装置）である。
【００３６】
また、本実施例において、主制御部２０８は、自車両位置検出部２０２により検出された自車両現在位置からユーザ入力部２０６を通じて設定された目的地までのルートを記憶部２０４に記憶された地図情報上で探索し、表示部２０７上に提示するルート探索機能を備えるものとする。
【００３７】
なお、本実施例において、車両Ｖがナビゲーションシステムを搭載している場合、自車両位置検出部２０２、渋滞情報取得部２０３、記憶部２０４、ユーザ入力部２０６、表示部２０７、及び、主制御部２０８のルート探索機能は、ナビゲーションシステムと兼用であってもよい。
【００３８】
また、本実施例において、主制御部２０８は、車速検出部２０５により検出された車速から自車両Ｖの平均車速を算出するものとする。代替例として、主制御部２０８は、自車両位置検出部２０２によって検出された自車両位置の時間変化を記憶部２０４に記憶された地図情報に照らして地図データ上での移動距離から自車両Ｖの平均車速を求めるものとしてもよい。この場合、車速検出部２０５は不要となる。
【００３９】
次に、このような構成の車載装置１０１の動作について、図３を参照して説明する。図３に示した例では、一例として、目的地までのルートに高速道路が含まれ、ルート上に複数のインターチェンジ（ＩＣ）が存在するものとする。
【００４０】
車載装置１０１の主制御部２０８は、ユーザ入力部２０６を通じて車両ユーザにより目的地がセットされ、現在位置から目的地までのルートを探索すると、現在位置、目的地、ルート、及び平均車速を送受信部２０１を介してセンタ１０２へ送信し、渋滞予測情報をリクエストする。
【００４１】
センタ１０２は、上述のように、車両Ｖがルート上のどの地点で渋滞最後尾に追い付くかを渋滞予測情報としてリクエストした車載装置１０１へ送信する。
【００４２】
車載装置１０１は、送受信部２０１において、センタ１０２からの渋滞予測情報を受信する。図３では、受信された渋滞予測情報の一例を太矢印で示している。太矢印の実線部分はＶＩＣＳにより取得された直近の渋滞状況、破線部分はセンタ１０２から取得した予測渋滞状況をそれぞれ示している。
【００４３】
すなわち、ここでは、ＶＩＣＳによれば渋滞の最後尾はＩＣ３の先に現在位置するが、この渋滞は延伸しており、自車両Ｖは今後ＩＣ２とＩＣ３の間で渋滞最後尾に追い付くであろう、という予測情報が受信されたものとしている。
【００４４】
車載装置１０１の主制御部２０８は、この渋滞予測情報に基づき、渋滞を回避するためにルートを外れてＩＣから高速道路を降りるか否かの判断はＩＣ２の手前で行えば渋滞回避に間に合うと判断し、次回センタ１０２に渋滞予測情報をリクエストする地点をＩＣ２の手前Ｌキロメートル（ｋｍ）の地点に設定し、該地点まではセンタ１０２へ渋滞予測情報をリクエストする通信は不要であると判断する。
【００４５】
このようにして設定されたＩＣ２の手前の次回の通信ポイントに自車両Ｖが到達したとき、車載装置１０１は、最新の渋滞予測情報をセンタ１０２にリクエストして取得し、渋滞情報取得部２０３により取得された最新のＶＩＣＳ情報と合わせて、例えば表示部２０７を介して、車両ユーザに提示することができる。代替例として、車載装置１０１は、ＩＣ２の手前Ｌｋｍの地点で取得された最新の渋滞最後尾が最初に予測した通りＩＣ２とＩＣ３の間に位置していた場合、表示部２０７により車両ユーザに提示するルートをＩＣ２から高速道路を降りた場合のルートに自動的に変更してもよい。
【００４６】
本実施例において、上記Ｌの値は任意でよく、予め決められた固定値であっても、可変値であってもよい。後者の場合、平均車速、地形（電波環境やトンネルなど）、及び、天候（雨、雪、霧など）を考慮してセンタ１０２側でＬの値を決定し、渋滞予測情報と共にリクエスト元の車載装置１０１へ指示するようにしてもよい。
【００４７】
また、本実施例において、車載装置１０１は、上記のようにして設定された次回の通信ポイントまでセンタ１０２との通信は抑制しつつ、渋滞情報取得部２０３によるＶＩＣＳ情報の取得は常時行い、事故などによる突発的な渋滞の発生を監視し、必要に応じて上記次回の通信ポイントの位置を変更する。
【００４８】
例えば、図３の例において、ＩＣ２の手前Ｌｋｍの地点に次回の通信ポイントが設定された後、自車両ＶがＩＣ１の手前に位置するときに、ＩＣ１とＩＣ２の間に突発的な渋滞が発生したことがＶＩＣＳ情報により認識されると、車載装置１０１は次回の通信ポイントをＩＣ１の手前Ｌｋｍの地点に変更する。これにより、最新の渋滞情報及び渋滞予測情報に基づき、車両ユーザが上記突発渋滞を回避するためにＩＣ１で高速道路を降りるか否かの判断をすることができる。
【００４９】
このように、本実施例によれば、渋滞最後尾に追い付く前に車両ユーザが最新の渋滞情報及び渋滞予測情報に基づいて高速道路を降りるか否かを判断することができるようにして渋滞情報提供の有用性を確保しつつ、車載装置１０１とセンタ１０２との通信を渋滞回避のために必要最小限の回数に抑え、定期的に及び／又は所定の地点において毎回センタと通信をする場合に比して通信回数を大幅に削減することができる。
【００５０】
なお、上記一実施例においては、高速道路上の分岐点の例としてＩＣを例に挙げたが、ＪＣＴも同様に扱うことができる。
【００５１】
また、上記一実施例においては、一例として高速道路（又は有料道路）上での次回通信ポイントの設定方法（予測された渋滞最後尾の直前のＩＣ又はＪＣＴから手前Ｌｋｍの地点に設定する）について説明したが、一般道路においても同様に次回通信ポイントを設定することができる。但し、上記Ｌの値は高速道路の場合から変更されることが好ましい。
【００５２】
一般道路の場合、次回通信ポイント設定の際に基準地点とする分岐点は通常の交差点となる。ここで用いられる交差点は、交差道路が所定幅以上の道路であるもの（例えば、一般的なナビゲーションシステムにおいて案内対象道路となっている道路など）のみが用いられることが好ましい。代替例として、高速道路上のＩＣ又はＪＣＴに比して一般道路上にはこのような交差点は数多く存在し得ることに鑑み、より簡易に、予測された渋滞最後尾から手前Ｌ’ｋｍの地点を次回通信ポイントとしてもよい。
【００５３】
さらに、上記一実施例においては、車両ユーザの意思を尊重する観点から、通信費を負担してでもより頻繁に最新の渋滞予測情報の取得を望む車両ユーザが存在する場合に備えて、車載装置１０１は、車両ユーザの選択に応じて、定期的に（例えば５分ごとに）及び／又は所定の地点（例えばＩＣ／ＪＣＴから所定距離手前の地点）において毎回センタ１０２と通信をするという動作モードでも動作可能な構成とすることが好ましい。同様の観点から、車載装置１０１は、車両ユーザの操作に応じて、車両ユーザが具体的に指定した任意の地点において道路形状や渋滞状況にかかわらずセンタ１０２へ渋滞予測情報をリクエストするように構成されてもよい。
【産業上の利用可能性】
【００５４】
本発明は、通信を利用してセンタから車両に渋滞情報を提供するシステムに利用できる。対象となる車両の外観、重量、サイズ、走行性能等は問わない。
【図面の簡単な説明】
【００５５】
【図１】本発明の一実施例に係る渋滞情報提供・受信システムの概略図である。
【図２】本発明の一実施例に係る渋滞情報提供・受信システムにおいて用いられる車載装置の概略構成図である。
【図３】本発明の一実施例に係る渋滞情報提供・受信システムにおける通信ポイントの決定方法を説明するための図である。
【符号の説明】
【００５６】
１００  渋滞情報提供・受信システム
１０１  車載装置（渋滞情報受信装置）
１０２  センタ（渋滞情報提供装置）
２０１  送受信部
２０２  自車両位置検出部
２０３  渋滞情報取得部
２０４  記憶部
２０５  車速検出部
２０６  ユーザ入力部
２０７  表示部
２０８  主制御部
【図１】
2007114044.tif 000003
【図２】
2007114044.tif 000004
【図３】
2007114044.tif 000005